(57)【要約】【課題】  時間で変化する顧客の要望に応じた商品を容易に変更することが可能な回転陳列装置を提供する。【解決手段】  回転陳列装置の棚回動機構が、一定の距離をおいて対面して平行位置がずれて配設された２枚の回転板と、２枚の回転板の対面する方向に、それぞれの回転板に、回転板から少なくとも２本以上、回転板の同一中心角で同一円周上の位置から垂直に設けられ、対面する回転板に当接しない長さの支持部材と、対向して対をなす支持部材の上に水平に架設された棚部材からなり、回転板の回転により、棚が水平を保った状態で回動することを特徴とする。【選択図】図２
2012005656.tif 000002
【特許請求の範囲】
【請求項１】
回転陳列装置の棚回動機構が、
一定の距離をおいて対面して平行位置がずれて配設された２枚の回転板と、
２枚の回転板の対面する方向に、それぞれの回転板に、回転板から少なくとも２本以上、回転板の同一中心角で同一円周上の位置から垂直に設けられ、対面する回転板に当接しない長さの支持部材と、
対向して対をなす支持部材の上に水平に架設された棚部材からなり、
回転板の回転により、棚が水平を保った状態で回動することを特徴とする回転陳列装置。
【請求項２】
回転板の回転がモーターの駆動伝達により行われることを特徴とする請求項１に記載の回転陳列装置。
【請求項３】
棚部材が特定位置で停止するように回転板の回転が制御されることを特徴とする請求項１又は２に記載の回転陳列装置。
【請求項４】
特定位置で停止した棚部材において、支持部材が当接しない非支持部の背面側を補助する棚ストッパーが設けられていることを特徴とする請求項１から３のいずれかに記載の回転陳列装置。
【請求項５】
顧客側及び販売者側のそれぞれの側に、独立して開閉が可能なシャッターが設けられていることを特徴とする請求項１から４のいずれかに記載の回転陳列装置。
【発明の詳細な説明】
【技術分野】
【０００１】
本発明は、デパート、売店、コンビニエンスストア等で用いられる陳列装置に関するものであり、詳しくは簡単に商品の陳列棚を交換可能とする回転陳列装置に関するものである。
【背景技術】
【０００２】
従来、デパート、駅の売店、コンビニエンスストア等の店頭において、販売者が顧客と対面して販売するような場所に設置されている商品陳列棚としては、顧客が商品を視認、購入しやすくするために、段を設けたり傾斜をつけたりしたものが一般的であった。しかし、このような形態の商品陳列棚に一度商品を陳列すると、商品の種類を簡単に変更することができないという問題があった。
【０００３】
ところで、駅の売店やコンビニエンスストア等では、顧客の購入する商品の内容は朝、昼、夜と時間の経過とともに変化するのが一般的である。このような状況にあって、限られた販売スペースで一日の売れ筋商品を全て陳列することは非常に困難であり、無理に陳列しようとした場合、陳列が煩雑となるおそれがある。すなわち、このような現状に対しては前記従来の商品陳列棚は不向きなものであった。
【０００４】
一方、販売状況に応じてショーケースの形態を選択的に変更できる販売用ショーケースが提案されている（例えば特許文献１参照）。このショーケースは、揺動するアームに取り付けられたショーウィンドの開閉具合により、販売陳列スペースを適宜変更可能とするものであり、この動作により、顧客数が多い時間帯と少ない時間帯とで販売形態を変更したり、ショーケース内の拭き掃除を容易にすることができるというものである。しかしながらこの提案のショーケースの主たる目的は、セルフ販売と対面販売の双方の販売形態の変更に対応させることであり、商品種類を簡単に変更することを目的とするものではない。
【先行技術文献】
【特許文献】
【０００５】
【特許文献１】特開２００５−２３７７６５号公報
【発明の概要】
【発明が解決しようとする課題】
【０００６】
上記のような状況を背景として、店頭の限られた販売スペースで、簡単に各時間帯に対応する売れ筋商品に変更することができる商品の陳列棚の開発が望まれていた。
【０００７】
本発明は、上記従来の問題点を解決するためになされたものであり、時間帯で変化する顧客の要望に応じた商品を容易に変更することが可能な回転陳列装置を提供することを課題としている。
【課題を解決するための手段】
【０００８】
本発明の回転陳列装置は以下のことを特徴としている。
（１）  回転陳列装置の棚回動機構が、一定の距離をおいて対面して平行位置がずれて配設された２枚の回転板と、２枚の回転板の対面する方向に、それぞれの回転板に、回転板から少なくとも２本以上、回転板の同一中心角で同一円周上の位置から垂直に設けられ、対面する回転板に当接しない長さの支持部材と、対向して対をなす支持部材の上に水平に架設された棚部材からなり、回転板の回転により、棚が水平を保った状態で回動する回転陳列装置である。
（２）上記（１）の発明の回転陳列装置において、回転板の回転を、棚の回転を水平に保つために、モーターからの２枚の回転板への同時の駆動伝達により、２枚の回転板を両方同時に回転させる。
（３）上記（１）又は（２）の発明の回転陳列装置において、棚部材が特定位置で停止するように回転板の回転が制御される。
（４）上記（１）から（３）の発明の回転陳列装置において、特定位置で停止した棚部材において、支持部材が当接しない非支持部の背面側を補助する棚ストッパーが設けられている。
（５）上記（１）から（４）の発明の回転陳列装置において、顧客側及び販売者側のそれぞれの側に、独立して開閉が可能なシャッターが設けられている。
【発明の効果】
【０００９】
上記（１）の発明によれば、棚回動機構が、棚が水平を保ったままの状態で回転可能な構造としたので、限られたスペースで、簡単に棚の回動が可能となる。
【００１０】
上記（２）の発明によれば、上記（１）の発明の回転陳列装置において、回転板の回転を、棚の回転を水平に保つために、モーターからの２枚の回転板への同時の駆動伝達により、２枚の回転板を両方同時に回転させるようにしたので、より簡単に安定した棚の回動操作が可能となる。
【００１１】
上記（３）の発明によれば、上記（１）又は（２）の発明の回転陳列装置において、回転板の回転が制御され、棚が特定の位置で停止するので、棚の回動に際し、棚の停止位置を気にすることなく回動操作を行うことが可能となる。
【００１２】
上記（４）の発明によれば、上記（１）から（３）の発明の回転陳列装置において、特定位置で停止した棚部材において、支持部材が当接しない非支持部の背面側を補助する棚ストッパーが設けられているので、棚部材の座りを安定させることができ、棚のがたつき等を防止することが可能となる。
【００１３】
上記（５）の発明によれば、上記（１）から（４）の発明の回転陳列装置において、顧客側及び販売者側のそれぞれの側に、独立して開閉が可能なシャッターが設けられているので棚の回動中の顧客の安全を確保できるとともに、販売者は商品の陳列、チェック等を容易に行うことができる。
【図面の簡単な説明】
【００１４】
【図１】本発明の棚の回転装置の基本構造を説明するための概略図。
【図２】（Ａ）は本発明の構成を説明するための上方概略図。（Ｂ）は発明の構成を説明するための側面概略図。
【図３】棚ストッパーの動作を説明するための概略図。
【図４】シャッターの構成を説明するための概略図。
【発明を実施するための形態】
【００１５】
以下、本発明の回転陳列装置ついて図を用いて具体的に説明する。もちろん、以下の説明は、発明の趣旨をよりよく理解可能とするためのものであり、本発明を限定するものではない。
【００１６】
本発明の回転陳列装置は、対面式の販売形態に好適に用いられる陳列装置であって、販売者の操作により、商品の陳列棚を回動させることにより容易に商品の陳列棚を変更可能とするものである。本発明の回転陳列装置は棚の回転装置、棚ストッパー、シャッター部から構成されている。
【００１７】
以下に、図１、図２を用いて棚の回転装置の基本構造及び基本動作について説明する。
【００１８】
図１に示すように、回転板１１及び回転板１２が垂直に対向して一定の距離をおいて回転板が平行にずれた位置関係で配設されている。回転板１１には回転板１２に対向する方向に支持部材２Ａ、支持部材２Ｂ、支持部材２Ｃが取り付けられ、回転板１２には、回転板１１に対向する方向に支持部材２Ａ’、支持部材２Ｂ’、支持部材２Ｃ’が取り付けられている。支持部材２Ａ、支持部材２Ｂ、支持部材２Ｃは回転板１１の同一中心角で、中心から等距離、すなわち同一円周上の位置から、回転板１１の面に垂直に取り付けられている。支持部材２Ａ’、支持部材２Ｂ’、支持部材２Ｃ’も同様に回転板１２の面に垂直に取り付けられている。そして、支持部材２Ａ、支持部材２Ｂ、支持部材２Ｃと、支持部材２Ａ’、支持部材２Ｂ’、支持部材２Ｃ’は、それぞれが水平になるような位置関係で対向しており、支持部材の長さは、支持部材に対向する回転板、すなわち支持部材２Ａ〜２Ｃに対して回転板１２、支持部材２Ａ’〜２Ｃ’に対して回転板１１に当接しない長さとなっている。
【００１９】
そして、対向する対をなす支持部材には棚部材が架設されている。すなわち、図２（Ａ）、（Ｂ）に示すように、支持部材２Ａ、２Ａ’には棚部材３Ａ、支持部材２Ｂ、２Ｂ’には棚部材３Ｂ、支持部材２Ｃ、２Ｃ’には棚部材３Ｃがそれぞれ架設されている。そして、図２（Ｂ）に示すように、それぞれの棚部材には商品を陳列するためのＬ字型陳列棚３Ａ’〜３Ｃ’が載置されている。
【００２０】
回転板１１と回転板１２の平行位置にずらす距離は、対となる支持部材、例えば支持部材２Ａと２Ａ’の距離を設定するものであり、棚部材の奥行きを決定するものである。従って、この点を考慮して適宜設定することが可能であるが、上記のように棚部材を３組の構成とする場合には回転板の半径程度の距離とするのが好ましい。
【００２１】
回転板１１、１２の回転動作は、図２（Ａ）に示すように、モーター４の駆動により回転する構造になっている。モーター４は、軸受け５で支持されたシャフト６にギヤを介して接続され、該シャフト６の両端に設けられたスプロケット７と、回転板の回転軸に取り付けられたチェーンホイール８にドライブチェーン９が装架されており、モーター４の駆動によりシャフト６、ドライブチェーン９を介して回転板１１、１２が回転する構造になっている。
【００２２】
上記の構成とすることにより、１つのモーター４の駆動により回転板１１、１２が同一方向、同一速度で回転し、回転板に設けられた支持部材に架設された棚部材を、その面を水平に保ちながら回動させることが可能となる。
【００２３】
また、上記棚部材は、停止する位置が定位置として決められており、図示しない操作ボタンの押下により棚部材が１コマ毎に定位置で停止するようにモーターの駆動が制御されている。上記の説明に於いては、図２（Ｂ）の棚部材の位置が定位置である。
【００２４】
なお、上記本発明の構成に於いては、支持部材を２Ａ〜２Ｃ及び２Ａ’〜２Ｃ’として棚部材３Ａ〜３Ｃの３組としたが、支持部材の構成を２組や、３組以上とすることにより棚部材の数を適宜設定することが可能である。勿論、これら支持部材、棚部材の数を変更する場合には回転板の平行位置のずれの距離を考慮する必要がある。
【００２５】
また、上記の構成では、回転板を回転させるための構造を、モーターの駆動伝達をシャフト及びドライブチェーンを用いたものとしたが、これに限定されることはなく、モーターからのギヤ駆動とすることもできる。また、回転板の回転動作を手動とすることもできる。
【００２６】
さらに、支持部材と架設した棚部材との摺動をスムーズにするために支持部材の棚部材との接する場所にベアリング等を設けることも可能である。
【００２７】
さらにまた、棚部材の上に載置したＬ字型陳列棚３Ａ’〜３Ｃ’は単に棚部材に載せた状態としてもよいが、棚部材の奥行き方向にレール等を設けてＬ字型陳列棚３Ａ’〜３Ｃ’が左右にずれたり、脱落しないような構成とすることもできる。
【００２８】
次に、棚ストッパーについて以下に詳述する。
【００２９】
上記の棚の回転装置の構成とした場合、回転板からの支持部材が棚部材を片持ちの状態となる構成上、図２（Ａ）に示すように支持部材が当接しない非支持部３１が発生する。特に支持部材の長さが短い場合には非支持部３１は不安定な状態となり、がたつき等の原因となることが考えられる。
【００３０】
本発明の回転陳列装置に於いては、この非支持部３１の不安定な状態を解消するために、棚部材が定位置にあるときに非支持部３１の背面側を支えるための棚ストッパー３３を設けることができる。
【００３１】
この棚ストッパー３３は、回転板が回転して棚部材が回動しているときには図３（Ａ）に示すように回転板近傍の壁３２に収容されているが、棚部材が定位置に停止したときに図３（Ｂ）に示すように壁３２から突出する構造になっている。そして、棚部材を回動させるときには、また図３（Ａ）に示すように壁３２に収容されるようになっている。
【００３２】
本発明の棚ストッパーは、上記の問題点を解決するものであれば、その形状は特に制限されることはなく、図３（Ａ）、（Ｂ）に示す形状のほか、ピン状の形状のものを突出させるようにしてもよい。
【００３３】
また、棚ストッパーの駆動手段は特に制限されるものではなく、モーター駆動にしたり、ソレノイドを用いて駆動させてもよい。
【００３４】
本発明の棚ストッパーは、販売時の状態を考慮して、顧客に向いている棚に対して設置することが好ましく、この棚ストッパーによりがたつきのない安定した商品陳列棚とすることができる。
【００３５】
なお、棚部材の停止位置の関係から回転板が邪魔をして安定装置の設置が困難な場合には、回転板の対応箇所に窓を設けて棚ストッパーが突出するようにしてもよい。
【００３６】
次に、図４を用いてシャッター部について詳述する。
【００３７】
本発明の回転陳列装置には、顧客側と販売者側にそれぞれ独立してシャッター４１、４２が設けられている。顧客側のシャッター４２は、例えば、棚部材を回動させる場合に顧客が誤って棚部材と枠の間に手を挟む等の事故を防止するために、回動するときに閉じた状態とするものである。また、販売者側のシャッター４１は、次に回動させる棚の商品を準備したり、商品の内容を確認するときに開閉するものである。なお、上記シャッターは手動で開閉が可能である。
【００３８】
また、上記のように特に顧客の安全を考慮した場合、顧客側のシャッター４２が開いているときには棚の回動ができないような構成とすることも可能である。
【００３９】
以下に、本発明の回転陳列装置の使用方法及び動作について具体的に説明する。
【００４０】
図４に示すように、まず販売者は、販売者側シャッター４１を開いて、棚上に載置されているＬ字型陳列棚３Ｂ’を手前に引き出して商品の陳列を行う。例えば、このＬ字型陳列棚３Ｂ’には朝の売れ筋商品を載置するものとする。
【００４１】
そして、商品の陳列が完了した状態でＬ字型陳列棚３Ｂ’を棚部材３Ｂ上に戻し、図示しない操作ボタンにより回転板を１コマ回転させて、次のＬ字型陳列棚３Ａ’に同様の手順で商品を陳列する。例えば、このＬ字型陳列棚３Ａ’に陳列する商品は昼の売れ筋商品とする。
【００４２】
更に、１コマ棚を回動させ、Ｌ字型陳列棚３Ｃ’にも同様の手順により夕方の売れ筋商品を陳列しておくものとする。この段階でＬ字型陳列棚３Ｂ’は顧客側の位置に回動している。
【００４３】
上記の状態で顧客側のシャッター４２を開いてＬ字型陳列棚３Ｂ’上の朝の売れ筋商品の販売を開始する。そして、昼前の適当なときに販売者は顧客側のシャッターを閉じて、操作ボタンにより棚を１コマ回動させ、回動が完了した段階で顧客側シャッターを開きＬ字型陳列棚３Ａ’上の昼の売れ筋商品の販売を行う。夕方前の操作も同様である。
【００４４】
上記の説明は、本発明の装置を用いた使用例の１例であり、勿論これに限定されるものではなく、商品の補充のみを目的とした使用も可能である。
【００４５】
本発明の回転陳列装置を用いることによりボタン操作により商品陳列棚を簡単に回動させることが可能となり、商品補充を容易にし、さらに商品陳列スペースの省スペース化を図ることが可能となる。
【符号の説明】
【００４６】
１１、１２  回転板
２Ａ〜２Ｃ  支持部材
２Ａ’〜２Ｃ’  支持部材
３Ａ〜３Ｃ  棚部材
３Ａ’〜３Ｃ’  Ｌ字型陳列棚
４  モーター
５  軸受け
６  シャフト
７  スプロケット
８  チェーンホイール
９  ドライブチェーン
３１  非支持部
３２  壁
３３  棚ストッパー
４１  販売者側シャッター
４２  顧客側シャッター
４３  アクリルカバー
【図１】
2012005656.tif 000003
【図２】
2012005656.tif 000004
【図３】
2012005656.tif 000005
【図４】
2012005656.tif 000006